【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
所定のネットワークに接続され、カメラを制御することが可能なカメラ制御装置であって、
当該ネットワーク上で使用されているファイル転送要求の形式で記述された文字列を受信する受信手段と、
受信した文字列中の特定位置の文字列からカメラ制御に係る所定の制御用文字を識別する識別手段と、
該識別手段の識別結果に基づいて、前記カメラを制御し、撮影された映像データを転送要求元に転送する制御手段と
を備えることを特徴とするカメラ制御装置。
【請求項２】
前記識別手段は、更に、受信した文字列中の特定位置の文字列から前記制御用文字に付随する制御量を意味する文字とを識別することを特徴とする請求項第１項に記載のカメラ制御装置。
【請求項３】
前記識別手段は、前記制御用文字に付随する制御量を意味する文字として、カメラ制御のパン、チルト、ズームにかかる撮影アングル用文字と、各撮影アングル用文字に付随する制御量を示す数値文字を識別し、
前記撮影アングル用文字及び各撮影アングル用文字に付随する数値文字で構成される文字列を１つの単位とし、複数単位を識別可能であることを特徴とする請求項第２項に記載のカメラ制御装置。
【請求項４】
前記識別手段は、撮影日時要求文字及び当該文字に付随する撮影日時を特定する文字列を識別する撮影日時識別手段と、撮影済みの映像の取り出し要求文字及び取り出す映像を特定する文字列を識別する取り出し映像識別手段とを含み、
更に、前記カメラ制御装置は、前記撮影日時識別手段で得られた撮影日時を登録する登録手段と、該登録手段での登録された内容を特定する情報を発信元に返送する返送手段と、カメラで撮影された映像を記憶する記憶手段と、前記登録手段で登録された撮影日時になったか否かを判断する判断手段と、該判断手段で撮影日時になったと判断した場合、カメラで撮影された映像情報を前記記憶手段に格納する格納手段とを備え、
前記制御手段は、前記取り出し映像識別手段で識別された取り出し対象の映像を特定する文字列に従って、前記記憶手段内の映像を発信元に転送することを特徴とする請求項第１項に記載のカメラ制御装置。
【請求項５】
前記識別手段は、更に、カメラ制御のパン、チルト、ズームにかかる撮影アングル用文字と、各撮影アングル用文字に付随する制御量を示す数値文字を識別する撮影アングル識別手段を含み、
前記登録手段は、当該アングルに関する情報も登録し、前記格納手段は、当該アングルに関する情報に基づいて撮影された映像を格納することを特徴とする請求項第４項に記載のカメラ制御装置。
【請求項６】
前記識別手段は、撮影条件を記述したファイル名の文字列を識別するファイル名識別手段を含み、
前記制御手段は、識別されたファイル名の内容を所定の記憶装置から読み込んで、その内容に従った撮影条件に従ってカメラを制御して撮影し、発信元に撮影した映像を転送することを特徴とする請求項第１項に記載のカメラ制御装置。
【請求項７】
前記識別手段は、更にファイルの格納先アドレスを特定する文字列を識別する格納先アドレス識別手段を含み、
前記制御手段は、識別された格納先アドレスの、識別されたファイル名のファイルを読み込み、その内容に従った撮影条件に従ってカメラを制御して撮影し、発信元に撮影した映像を転送することを特徴とする請求項第６項に記載のカメラ制御装置。
【請求項８】
前記格納先アドレスは、インターネットサーバを指定する文字列であることを特徴とする請求項第７項に記載のカメラ制御装置。
【請求項９】
前記特定位置の文字列はＵＲＬであることを特徴とする請求項１に記載のカメラ制御装置。
【請求項１０】
所定のネットワークに接続され、カメラを制御することが可能なカメラの制御方法であって、
当該ネットワーク上で使用されているファイル転送要求の形式で記述された文字列を受信する受信工程と、
受信した文字列中の特定位置の文字列からカメラ制御に係る所定の制御用文字を識別する識別工程と、
該識別工程の識別結果に基づいて、前記カメラを制御し、撮影された映像データを転送要求元に転送する制御工程と
を備えることを特徴とするカメラの制御方法。
【請求項１１】
前記識別工程は、更に、受信した文字列中の特定位置の文字列から前記制御用文字に付随する制御量を意味する文字とを識別する処理を行うことを特徴とする請求項第１０項に記載のカメラの制御方法。
【請求項１２】
前記識別工程は、前記制御用文字に付随する制御量を意味する文字として、カメラ制御のパン、チルト、ズームにかかる撮影アングル用文字と、各撮影アングル用文字に付随する制御量を示す数値文字を識別する処理を行い、
前記撮影アングル用文字及び各撮影アングル用文字に付随する数値文字で構成される文字列を１つの単位とし、複数単位を識別する処理を行うことを特徴とする請求項第１１項に記載のカメラの制御方法。
【請求項１３】
前記識別工程は、撮影日時要求文字及び当該文字に付随する撮影日時を特定する文字列を識別する撮影日時識別工程と、撮影済みの映像の取り出し要求文字及び取り出す映像を特定する文字列を識別する取り出し指示識別工程とを含み、
更に、カメラの制御方法は、前記撮影日時識別工程で得られた撮影日時を登録する登録工程と、該登録工程での登録された内容を特定する情報を発信元に返送する返送工程と、前記登録工程で登録された撮影日時になったか否かを判断する判断工程と、該判断工程で撮影日時になったと判断した場合、カメラで撮影された映像情報を所定の記憶手段に格納する格納工程とを備え、
前記制御工程は、前記取り出し指示識別工程で識別された取り出し対象の映像を特定する文字列に従って、前記記憶手段内の映像を発信元に転送することを特徴とする請求項第１０項に記載のカメラの制御方法。
【請求項１４】
前記識別工程は、更に、カメラ制御のパン、チルト、ズームにかかる撮影アングル用文字と、各撮影アングル用文字に付随する制御量を示す数値文字を識別する撮影アングル識別工程を含み、
前記登録工程は、当該アングルに関する情報も登録する処理を行い、前記格納工程は、当該アングルに関する情報に基づいて撮影された映像を格納する処理を行うことを特徴とする請求項第１３項に記載のカメラの制御方法。
【請求項１５】
前記識別工程は、撮影条件を記述したファイル名の文字列を識別するファイル名識別工程を含み、
前記制御工程は、識別されたファイル名の内容を所定の記憶装置から読み込んで、その内容に従った撮影条件に従ってカメラを制御して撮影し、発信元に撮影した映像を転送する処理を行うことを特徴とする請求項第１０項に記載のカメラの制御方法。
【請求項１６】
前記識別工程は、更にファイルの格納先アドレスを特定する文字列を識別する格納先アドレス識別工程を含み、
前記制御工程は、識別された格納先アドレスの、識別されたファイル名のファイルを読み込み、その内容に従った撮影条件に従ってカメラを制御して撮影し、発信元に撮影した映像を転送する処理を行うことを特徴とする請求項第１５項に記載のカメラの制御方法。
【請求項１７】
前記格納先アドレスは、インターネットサーバを指定する文字列であることを特徴とする請求項第１６項に記載のカメラの制御方法。
【請求項１８】
前記特定位置の文字列はＵＲＬであることを特徴とする請求項１０に記載のカメラ制御方法。
【請求項１９】
インターネットを介してカメラを制御するための通信方法であって、
前記カメラを制御するカメラ制御装置のアドレスを示す第１の文字列と前記カメラの制御に使用される第２の文字列とを含むＵＲＬを用いて前記カメラ制御装置にアクセスする工程と、
前記カメラ制御装置が前記第２の文字列に従って前記カメラを制御して得た画像を前記カメラ制御装置から受け取る工程と
を有することを特徴とする通信方法。
【請求項２０】
前記第２の文字列は、前記カメラのズーム、パン又はチルトの制御に使用される文字列を含むことを特徴とする請求項１９に記載の通信方法。
【請求項２１】
前記第２の文字列は、１つの画像の予約撮影に必要な文字列を含むことを特徴とする請求項１９又は２０に記載の通信方法。
【請求項２２】
前記第２の文字列は、複数の画像の予約撮影に必要な文字列を含むことを特徴とする請求項１９又は２０に記載の通信方法。
【請求項２３】
前記第２の文字列は、予約撮影の間隔を指定する文字列を含むことを特徴とする請求項２２に記載の通信方法。
【請求項２４】
前記第２の文字列は、予約撮影のアングルを変化させる文字列を含むことを特徴とする請求項２２に記載の通信方法。
【請求項２５】
インターネットを介してカメラを制御するための通信装置であって、
前記カメラを制御するカメラ制御装置のアドレスを示す第１の文字列と前記カメラの制御に使用される第２の文字列とを含むＵＲＬを用いて前記カメラ制御装置にアクセスする手段と、
前記カメラ制御装置が前記第２の文字列に従って前記カメラを制御して得た画像を前記カメラ制御装置から受け取る手段と
を有することを特徴とする通信装置。
【請求項２６】
前記第２の文字列は、前記カメラのズーム、パン又はチルトの制御に使用される文字列を含むことを特徴とする請求項２５に記載の通信装置。
【請求項２７】
前記第２の文字列は、１つの画像の予約撮影に必要な文字列を含むことを特徴とする請求項２５又は２６に記載の通信装置。
【請求項２８】
前記第２の文字列は、複数の画像の予約撮影に必要な文字列を含むことを特徴とする請求項２５又は２６に記載の通信装置。
【請求項２９】
前記第２の文字列は、予約撮影の間隔を指定する文字列を含むことを特徴とする請求項２８に記載の通信装置。
【請求項３０】
前記第２の文字列は、予約撮影のアングルを変化させる文字列を含むことを特徴とする請求項２８に記載の通信装置。
【請求項３１】
請求項１９乃至２４の何れか１項に記載の通信方法を実行するプログラムを記憶したことを特徴とする記憶媒体。
【請求項３２】
インターネットを介してカメラの画像を通信装置に転送するための通信方法であって、
前記通信装置において入力された前記カメラを制御するカメラ制御装置のアドレスを示す第１の文字列と前記カメラの制御に使用される第２の文字列とを含むＵＲＬのうち、前記第２の文字列に関する情報を前記カメラ制御装置において識別する工程と、
前記カメラ制御装置が前記第２の文字列に従って前記カメラを制御して得た画像を前記通信装置に転送する工程と
を有することを特徴とする通信方法。
【請求項３３】
前記第２の文字列は、前記カメラのズーム、パン又はチルトの制御に使用される文字列を含むことを特徴とする請求項３２に記載の通信方法。
【請求項３４】
前記第２の文字列は、１つの画像の予約撮影に必要な文字列を含むことを特徴とする請求項３２又は３３に記載の通信方法。
【請求項３５】
前記第２の文字列は、複数の画像の予約撮影に必要な文字列を含むことを特徴とする請求項３２又は３３に記載の通信方法。
【請求項３６】
前記第２の文字列は、予約撮影の間隔を指定する文字列を含むことを特徴とする請求項３５に記載の通信方法。
【請求項３７】
前記第２の文字列は、予約撮影のアングルを変化させる文字列を含むことを特徴とする請求項３５に記載の通信方法。
【請求項３８】
インターネットを介してカメラの画像を通信装置に転送するためのカメラ制御装置であって、
前記通信装置において入力された前記カメラを制御するカメラ制御装置のアドレスを示す第１の文字列と前記カメラの制御に使用される第２の文字列とを含むＵＲＬのうち、前記第２の文字列に関する情報を識別する識別手段と、
前記カメラ制御装置が前記第２の文字列に従って前記カメラを制御して得た画像を前記通信装置に転送する転送手段と
を有することを特徴とするカメラ制御装置。
【請求項３９】
前記第２の文字列は、前記カメラのズーム、パン又はチルトの制御に使用される文字列を含むことを特徴とする請求項３８に記載のカメラ制御装置。
【請求項４０】
前記第２の文字列は、１つの画像の予約撮影に必要な文字列を含むことを特徴とする請求項３８又は３９に記載のカメラ制御装置。
【請求項４１】
前記第２の文字列は、複数の画像の予約撮影に必要な文字列を含むことを特徴とする請求項３８又は３９に記載のカメラ制御装置。
【請求項４２】
前記第２の文字列は、予約撮影の間隔を指定する文字列を含むことを特徴とする請求項４１に記載のカメラ制御装置。
【請求項４３】
前記第２の文字列は、予約撮影のアングルを変化させる文字列を含むことを特徴とする請求項４１に記載のカメラ制御装置。
【請求項４４】
請求項３２乃至３７の何れか１項に記載の通信方法を実行するプログラムを記憶したことを特徴とする記憶媒体。
【請求項４５】
インターネットを介してカメラにおいて撮影された画像を取得するための通信方法であって、
前記カメラを制御するカメラ制御装置のアドレスを示す第１の文字列と前記カメラによって撮影された画像のフォーマットの指定を示す第２の文字列とを含むＵＲＬを用いて前記カメラ制御装置にアクセスする工程と、
前記カメラ制御装置が前記第２の文字列に従ってフォーマット変換した画像を前記カメラ制御装置から受け取る工程と
を有することを特徴とする通信方法。
【請求項４６】
インターネットを介してカメラを制御するための通信装置であって、
前記カメラを制御するカメラ制御装置のアドレスを示す第１の文字列と前記カメラによって撮影された画像のフォーマットの指定を示す第２の文字列とを含むＵＲＬを用いて前記カメラ制御装置にアクセスする手段と、
前記カメラ制御装置が前記第２の文字列に従ってフォーマット変換した画像を前記カメラ制御装置から受け取る手段と
を有することを特徴とする通信装置。
【請求項４７】
インターネットを介して画像転送装置から画像を通信装置に転送するための通信方法であって、
前記通信装置において入力された画像転送装置のアドレスを示す第１の文字列と前記画像のフォーマットの指定を示す第２の文字列とを含むＵＲＬのうち、前記第２の文字列に関する情報を前記画像転送装置において識別する工程と、
前記画像転送装置が前記第２の文字列に従って前記画像をフォーマット変換する変換工程と、
前記変換工程においてフォーマット変換した画像を前記通信装置に転送する工程と
を有することを特徴とする通信方法。
【請求項４８】
インターネットを介して画像を通信装置に転送するための画像転送装置であって、
前記通信装置において入力された画像転送装置のアドレスを示す第１の文字列と前記画像のフォーマットの指定を示す第２の文字列とを含むＵＲＬのうち、前記第２の文字列に関する情報を前記画像転送装置において識別する識別手段と、
前記画像転送装置が前記第２の文字列に従ってフォーマット変換する変換手段と、
前記変換手段においてフォーマット変換した画像を前記通信装置に転送する転送手段と
を有することを特徴とする通信方法。
【手続補正２】
【補正対象書類名】明細書
【補正対象項目名】０００９
【補正方法】変更
【補正の内容】
【０００９】
この課題を解決するため、例えば本発明のカメラ制御装置は以下に示す構成を備える。すなわち、
所定のネットワークに接続され、カメラを制御することが可能なカメラ制御装置であって、
当該ネットワーク上で使用されているファイル転送要求の形式で記述された文字列を受信する受信手段と、
受信した文字列中の特定位置の文字列からカメラ制御に係る所定の制御用文字を識別する識別手段と、
該識別手段の識別結果に基づいて、前記カメラを制御し、撮影された映像データを転送要求元に転送する制御手段とを備える。